(57)【要約】【課題】操作を行うに際して必要となる情報を操作履歴の情報から抽出し検査業務単位で管理することで、利用者が操作を忘れた場合でも過去の操作履歴の情報に基づいて操作支援を受けることにより医用診断装置の操作性の向上を図ることのできる操作支援システム及び該システムを搭載する医用診断装置を提供する。【解決手段】動作情報を管理する動作情報管理手段２ｂと、操作管理する操作情報管理手段２ｄと、操作情報を抽出するとともに、動作情報の中から操作情報と合致する動作情報を取得する操作シーケンス抽出手段２ｅと、操作シーケンス抽出手段２ｅにより抽出された操作シーケンスを登録する操作シーケンス管理手段２ｇと、操作シーケンス抽出手段２ｅにより抽出された操作シーケンスと操作シーケンス管理手段２ｇに登録されている操作シーケンスとを比較し、その差が所定の値である場合に操作者に通知する操作シーケンス比較手段２ｆとを備える。【選択図】図２
2008026939.tif 000002
【特許請求の範囲】
【請求項１】
装置の動作に関する情報を収集する動作情報収集手段から送信された動作情報を管理する動作情報管理手段と、
操作者の操作に関する情報を収集する操作情報収集手段から送信された操作情報を管理する操作情報管理手段と、
前記操作情報管理手段に登録されている操作情報を抽出するとともに、前記動作情報管理手段に登録されている動作情報の中から前記操作情報と合致する動作情報を取得する操作シーケンス抽出手段と、
前記操作シーケンス抽出手段により抽出された操作シーケンスを登録する操作シーケンス管理手段と、
前記操作シーケンス抽出手段により抽出された操作シーケンスと前記操作シーケンス管理手段に登録されているこれまで行われた操作の操作シーケンスとを比較し、その差が所定の値である場合に操作者に通知する操作シーケンス比較手段と、
を備えることを特徴とする操作支援システム。
【請求項２】
前記操作シーケンス比較手段による比較の結果、前記操作シーケンス抽出手段により抽出された操作シーケンスを前記操作シーケンス管理手段に登録する操作シーケンス登録手段を備えることを特徴とする請求項１に記載の操作支援システム。
【請求項３】
前記操作シーケンス管理手段に登録されている操作シーケンスの中から操作支援の要求対象となる操作シーケンスを選択する操作シーケンス選択手段と、
前記動作情報収集手段からの動作情報に合致する前記操作シーケンス選択手段によって選択された操作シーケンスを前記操作情報収集手段からの操作情報の取得に同期させて再生を行う操作シーケンス再生手段と、
を備えることを特徴とする請求項１または請求項２に記載の操作支援システム。
【請求項４】
装置を操作する操作者を識別する操作者識別手段からの操作者情報及び装置の動作に関する情報を収集する動作情報収集手段から送信された動作情報を管理する動作情報管理手段と、
前記操作者の操作に関する情報を収集する操作情報収集手段から送信された操作情報を管理する操作情報管理手段と、
前記操作情報管理手段に登録されている操作情報を抽出するとともに、前記動作情報管理手段に登録されている動作情報の中から前記操作情報と合致する動作情報を取得する操作シーケンス抽出手段と、
前記操作シーケンス抽出手段により抽出された操作シーケンスを登録する操作シーケンス管理手段と、
前記操作シーケンス抽出手段により抽出された操作シーケンスと前記操作シーケンス管理手段に登録されているこれまでの操作シーケンスとを比較し、その差が所定の値である場合に操作者に通知する操作シーケンス比較手段と、
前記操作シーケンス比較手段による比較の結果、前記操作シーケンス抽出手段により抽出された操作シーケンスを前記操作シーケンス管理手段に登録する操作シーケンス登録手段と、
前記操作シーケンス登録手段に登録されている操作シーケンスの中から参照する操作シーケンスの基となった操作を行った操作者を選択する操作者指定手段と、
を備えることを特徴とする操作支援システム。
【請求項５】
装置を操作する操作者を識別する操作者識別手段をさらに備えることを特徴とする請求項１ないし請求項４のいずれかに記載の操作支援システム。
【請求項６】
請求項１ないし請求項５のいずれかに記載の操作支援システムを備えることを特徴とする医用診断装置。
【請求項７】
装置の動作に関する情報を収集する動作情報収集手段から送信された動作情報を管理する動作情報管理手段と、操作者の操作に関する情報を収集する操作情報収集手段から送信された操作情報を管理する操作情報管理手段と、前記操作情報管理手段に登録されている操作情報を抽出するとともに、前記動作情報管理手段に登録されている動作情報の中から前記操作情報と合致する動作情報を取得する操作シーケンス抽出手段と、操作シーケンスの中から操作支援の要求対象となる操作シーケンスを選択する操作シーケンス選択手段と、前記動作情報収集手段からの動作情報に合致する前記操作シーケンス選択手段によって選択された操作シーケンスを前記操作情報収集手段からの操作情報の取得に同期させて再生を行う操作シーケンス再生手段とを備える医用診断装置と、
前記操作シーケンス抽出手段により抽出された操作シーケンスを登録する操作シーケンス管理手段と、前記操作シーケンス抽出手段により抽出された操作シーケンスと前記操作シーケンス管理手段に登録されているこれまで行われた操作の操作シーケンスとを比較し、その差が所定の値である場合に操作者に通知する操作シーケンス比較手段とを備える管理サーバと、
前記医用診断装置と前記管理サーバとが接続されるネットワークと、
を備えることを特徴とする操作支援システム。
【発明の詳細な説明】
【技術分野】
【０００１】
本発明は、医用診断装置を利用する者に対する操作支援システム及び該システムを搭載する医用診断装置に関する。
【背景技術】
【０００２】
近年においては、例えば、Ｘ線診断装置やＣＴ（computed tomography：コンピュータ断層撮影）装置、超音波診断装置、磁気共鳴診断装置、及びガンマカメラやＰＥＴ（positron-emission tomography：ポジトロン放出断層撮影）等の医用診断装置が普及し、多くの医療機関に導入されるようになっている。
【０００３】
しかし、医療機関によってはこれら導入した医用診断装置を頻繁には使用せず、或いはこれらの医用診断装置に設けられている様々な機能の中で特定の機能のみを使用する等、全ての機能が使用されないこともあり、医用診断装置の操作方法を医師、看護士や技師等の医療従事者（利用者）が忘れてしまうことがある。また、医用診断装置を使用する複数人の医療従事者が一定期間ごとに入れ替わることもあり、医用診断装置の操作に習熟するまでに時間がかかるといったこともある。
【０００４】
このような場合に機器の操作者に対して行われる操作支援の方法として、例えば、操作履歴保存手段によりオペレータごとに保存された操作履歴を参照して、識別手段により識別されたオペレータに対応した操作環境を設定する手段を具備することにより、各オペレータの操作状況に応じた適切な操作支援を行うことが可能な操作支援システム提案されている（特許文献１参照）。また、ユーザが行った以前の操作履歴に基づいてユーザが入力した特定操作の次に適した操作を予測し、この予測に従ってユーザによる操作入力を支援して操作性の向上を図った情報端末装置、操作支援及び操作支援プログラムも提案されている（特許文献２参照）。
【０００５】
さらに、医用装置からオペレーションを示すデータを収集し、潜在的なトレーニングニーズを示すデータを分析、開示することで、特定の機器や機器のタイプについて特定のトレーニングが必要であることや、トレーニングから恩恵を受けるユーザを特定すること、或いはトレーニングのスケジュールを組むことができる医療スタッフのトレーニングのニーズの自動識別方法も提案されている（特許文献３参照）。
【特許文献１】特開２０００−２５９３０７号公報
【特許文献２】特開２００４−１５２２７６号公報
【特許文献３】特開２００２−９２２５６号公報
【発明の開示】
【発明が解決しようとする課題】
【０００６】
しかしながら、上記特許文献１及び２では、操作履歴情報を整理するために、操作日時や操作者の情報を用いて操作履歴情報を識別し、操作履歴保存手段或いは操作履歴記憶部に記憶されている操作者が以前行った操作履歴を基に操作支援を行うこととされており、ユーザがその機器に初めて接する場合や以前の操作履歴が非常に少ない場合等には、操作履歴情報が再利用されず適切な操作支援が行われない可能性がある。
【０００７】
また、上記特許文献３においては、医用装置に対象を限定した操作履歴の利用方法が提案されているが、操作履歴情報がどのように管理されるかという点についての具体的な手段については明確にされておらず、上述した課題を解決するには至らない。
【０００８】
本発明は上記課題を解決するためになされたものであり、本発明の目的は、医用診断装置の操作を行うに際して必要となる情報を操作履歴の情報から抽出して検査業務単位で管理することで、低頻度の機能について使用する利用者や医用診断装置の利用経験の乏しい利用者が医用診断装置の操作を忘れた場合であっても、過去の操作履歴の情報に基づいて操作支援を受けることにより医用診断装置の操作性の向上を図ることのできる操作支援システム及び当該システムを搭載する医用診断装置を提供することである。
【課題を解決するための手段】
【０００９】
本発明の実施の形態に係る特徴は、操作支援システムにおいて、装置の動作に関する情報を収集する動作情報収集手段から送信された動作情報を管理する動作情報管理手段と、操作者の操作に関する情報を収集する操作情報収集手段から送信された操作情報の管理する操作情報管理手段と、操作情報管理手段に登録されている操作情報を抽出するとともに、動作情報管理手段に登録されている動作情報の中から操作情報と合致する動作情報を取得する操作シーケンス抽出手段と、操作シーケンス抽出手段により抽出された操作シーケンスを登録する操作シーケンス管理手段と、操作シーケンス抽出手段により抽出された操作シーケンスと操作シーケンス管理手段に登録されているこれまで行われた操作の操作シーケンスとを比較し、その差が所定の値である場合に操作者に通知する操作シーケンス比較手段とを備える。
【発明の効果】
【００１０】
本発明によれば、医用診断装置の操作を行うに際して必要となる情報を操作履歴の情報から抽出して検査業務単位で管理することで、低頻度の機能について使用する利用者や医用診断装置の利用経験の乏しい利用者が医用診断装置の操作を忘れた場合であっても、過去の操作履歴の情報に基づいて操作支援を受けることにより医用診断装置の操作性の向上を図ることのできる操作支援システム及び当該システムを搭載する医用診断装置を提供することができる。
【発明を実施するための最良の形態】
【００１１】
以下、本発明の第１の実施の形態について図面を参照して詳細に説明する。
【００１２】
図１に示す医用診断装置１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力手段１ｆと、表示手段１ｇと、通信制御手段１ｈと、記憶手段１ｉと、リムーバブルディスク１ｊと、駆動部制御手段１ｋとが接続されており、駆動部制御手段１ｋによって医用診断装置１の各駆動部１ｌが制御される。
【００１３】
ＣＰＵ１ａは、入力手段１ｆからの入力信号に基づいてＲＯＭ１ｂから医用診断装置１を起動するためのブートプログラムを読み出して実行し、記憶手段１ｉに格納されている各種オペレーティングシステムを読み出す。さらにＣＰＵ１ａは、入力手段１ｆや入出力インターフェイス１ｄを介して、図１においては図示していない外部機器からの入力信号に基づいて各種装置の制御を行ったり、ＲＡＭ１ｃや記憶手段１ｉ等に記憶されたプログラム及びデータを読み出してＲＡＭ１ｃにロードするとともに、ＲＡＭ１ｃから読み出されたプログラムのコマンドに基づいて、データの計算または加工等、一連の処理を実現する処理装置である。
【００１４】
入力手段１ｆは、医用診断装置１の操作者が各種の操作を入力するキーボード、マウス等の入力デバイスにより構成されており、操作者の操作に基づいて入力信号を作成しバス１ｅを介してＣＰＵ１ａに送信される。また、医用診断装置１には、キーボード等だけでなく専用の操作パネルが設けられており、その操作パネル上の入力デバイスを介して操作画面に対する操作を行うこともできる。表示手段１ｇは、例えば液晶ディスプレイであり、例えばＣＰＵ１ａからバス１ｅを介して出力信号を受信し、ＣＰＵ１ａの処理結果等を表示する手段である。
【００１５】
通信制御手段１ｈは、ＬＡＮカードやモデム等の手段であり、医用診断装置１をインターネットやＬＡＮ等の通信ネットワークに接続することを可能とする手段である。通信制御手段１ｈを介して通信ネットワークと送受信したデータは入力信号または出力信号として、入出力インターフェイス１ｄ及びバス１ｅを介してＣＰＵ１ａに送受信される。
【００１６】
記憶手段１ｉは、半導体や磁気ディスクで構成されており、ＣＰＵ１ａで実行されるプログラムやデータが記憶されている。リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００１７】
本発明の実施の形態における医用診断装置１の記憶手段１ｉには、例えば、医用診断装置１の操作者に対して操作の支援を行うナビゲーションプログラム等のプログラムやデータが記憶される。また、ナビゲーションプログラム等が医用診断装置１のＣＰＵ１ａに読み込まれ実行されることにより、操作支援手段２が医用診断装置１に実装される。
【００１８】
なお、以下においては、ナビゲーションプログラム等が記憶手段１ｉに記憶されている場合を例にとって説明するが、このナビゲーションプログラム等はリムーバブルディスク１ｊに格納されていても良い。
【００１９】
図２に示すように、操作支援手段２は、動作情報収集手段２ａと、動作情報管理手段２ｂと、操作情報収集手段２ｃと、操作情報管理手段２ｄと、操作シーケンス抽出手段２ｅと、操作シーケンス比較手段２ｆと、操作シーケンス管理手段２ｇと、操作シーケンス登録手段２ｈとから構成される。
【００２０】
動作情報収集手段２ａは、医用診断装置１の入力手段１ｆの動作を収集（モニタ）するためのものである。すなわち、オペレーティングシステムやウインドウ管理システムなどが提供する機能を利用して、入力手段１ｆが発生させるイベントを検知（フック）することにより動作情報を収集する。その上で、その動作情報をテキスト形式などに変換し、日時情報や現在ログオンしている操作者の情報などを付加して、動作情報管理手段２ｂを用いて記録する。
【００２１】
この動作情報は、例えば図３の動作情報リストに示すように、１行に１操作がタイムスタンプと共に記録される。このタイムスタンプは本発明の実施の形態においては、年月日時分秒ミリ秒で記録されている。動作情報は入力手段１ｆを構成する例えば、キーボードに関する操作なのか、ポインティングデバイスに関する操作なのかを表す動作名と、その動作に応じて動作の詳細を表す補足情報から構成される。補足情報としては、例えば、「ＷＭ＿ＫＥＹＤＯＷＮ」はキーボードに関する動作で、キーが押されたことを表わす動作であり、その後の「０ｘ００４１」は「Ａ」のキーであることを表す。また、「ＷＭ＿ＬＢＵＴＴＯＮＤＯＷＮ」はポインディングデバイスの左ボタンが押されたことを表わす動作であり、その後の（３９１，２１４）は、その左ボタンが押された位置座標を表わす。
【００２２】
操作情報収集手段２ｃは、操作者による入力手段１ｆ上での操作や物理的なボタンの操作、或いは、ネットワークやシリアルケーブルからの通信に対応してどのような処理を実行したのかを収集（モニタ）するためのものである。これは、業務アプリケーションが処理の記録として処理の種類を表わす動作に日時情報などを付与して操作情報管理手段２ｄを用いて記録する。
【００２３】
この操作情報は、例えば図４の操作情報リストに示されるように、本実施の形態においては左から「日時」、「操作項目」、「操作内容」、「検査ＩＤ」、「操作者」の項目が設けられ、１行に１つの処理がタイムスタンプとともに記録されている。例えば、「２００６／０１／１０  １１：２４：５４」に「ユーザＡ」が「検査選択ボタン」を押したことが記録されている。この操作内容は、「検査ＩＤ」として「６６３８」の番号が付与された検査を選択したものである。
【００２４】
次に、「２００６／０１／１０  １１：２４：５５」には、同じ操作者である「ユーザＡ」が「検査ＩＤ」が「６６３８」の検査について「開始／終了ボタン」を押して撮影を行っていることが記録されている。この「開始／終了ボタン」が押されることによって、画像撮影が行われ、「撮影番号」は「００１」である。再度「開始／終了ボタン」が押されることによって、撮影が終了する。そして次撮影ボタンにより次の撮影計画が選択され、撮影手順が繰り返される（「撮影番号＝００２」）。
【００２５】
さらに操作情報リストには、操作者が後述する図９の画面例に示される２つの画像表示ウインドウのうち左側のウインドウを選択し、撮影された画像の階調を調整するためにウインドウ幅（ＷＷ）とウインドウレベル（ＷＬ）を変更した後、右側のウインドウを選択してから、検査終了ボタンを押したことが記録されており、これで一連の検査が完了したことになる。
【００２６】
なお、図４における操作情報リストにおいては、上述の項目に沿って操作者の操作が記録されるが、操作情報管理手段２ｄに記録される情報の種類や記録内容は特に限定されるものではなく、必要に応じて任意に定めることができる。また、医用診断装置では、一般的に撮影した画像情報が検査単位で管理されていることから、医用診断装置１では検査単位ごとに管理するために医用診断装置１内で検査を識別する情報、例えば、検査ＩＤによって管理されている。操作情報収集手段２ｃは、この検査ＩＤも操作情報として操作情報管理手段２ｄに記録する。
【００２７】
また、動作情報管理手段２ｂ、或いは操作情報管理手段２ｄは、操作ログとしてファイルで管理されても構わないし、データベース管理システムなどに管理用のテーブルを用意して、１レコードに１操作情報を格納しても構わない。ファイルとして管理する場合には、操作ログがファイルに追記されていく。
【００２８】
操作シーケンス抽出手段２ｅは、動作情報管理手段２ｂに記録されている医用診断装置１の入力手段１ｆの動作情報と、操作情報管理手段２ｄに記録されている操作者によって行われた操作情報とから同一の検査ＩＤをもつ検査に対して行われた操作履歴を単数、或いは複数抽出する。この抽出された操作履歴を本発明の実施の形態においては、以下、「操作シーケンス」と表わす。
【００２９】
この操作シーケンス抽出手段２ｅによる操作シーケンスの抽出の流れについて、主として図５のフローチャートに基づいて、その他の図面をも適宜使用して説明する。
【００３０】
操作シーケンス抽出手段２ｅは、まず操作シーケンス抽出手段２ｅ内に記録されている「操作項目定義ファイル」にある操作情報を１つ取り出す（ＳＴ１）。この「操作項目定義ファイル」は、図６に示すように、例えば、「撮影ボタン」や「開始／終了ボタン」等、操作者による操作の中から注目すべき操作項目を規定したファイルである。操作シーケンス抽出手段２ｅは、操作項目定義ファイルに規定された操作項目の文字列と操作情報管理手段２ｄの「操作項目」に記録されている文字列とを比較し、一致する操作情報を抽出する。
【００３１】
次に、医用診断装置１の基本的な機能である撮影や観察などの機能のうち、どの機能が用いられているかを識別するために、図７に示す状態遷移図を基に医用診断装置１の現在の状態を決定する（ＳＴ２）。この状態遷移図は、電源がオンとなって起動してから電源がオフされてその動作が終了するまでの医用診断装置１の動作状態の遷移を表わした図であり、抽出した操作情報の操作項目と医用診断装置１の動作情報とが定義されている。
【００３２】
例えば、図７の状態遷移図において、医用診断装置１は起動処理が完了した時点で、「待機中」の状態に移る。そして、この「待機中」の状態において操作者によって「撮影ボタン」が押された場合には、その操作を認識して「患者検査中」の状態に遷移する。また、「撮影ボタン」を押すという操作により、検査における撮影業務が開始されたと認識することができるので、その操作情報の時刻情報がこの撮影業務の開始時刻として記録される（ＳＴ３）。すなわち、この操作は操作情報収集手段２ｃによって操作者の操作情報として収集され、例えば、図４の操作情報リストに示されるように「２００６／０１／１０  １１：２４：５２」に操作者である「ユーザＡ」が「撮影ボタン」を押したことが操作情報管理手段２ｄに記録される。
【００３３】
また、この「撮影ボタン」を押すという操作は、医用診断装置１の入力手段１ｆが発生させるイベントの一つであるといえ、この動作情報が動作情報収集手段２ａを介して、例えば、図３に示す動作情報リストのようにタイムスタンプとともに動作情報管理手段２ｂに記録される。一方、「待機中」の状態から「観察ボタン」が押された場合は、「画像観察中」の状態に遷移することになる。
【００３４】
「患者検査中」の状態に遷移すると、まず図８のような画面が表示される。この図８及び次の図９は、医用診断装置１の表示手段１ｇに表示される基本的な画面例を示している。例えば、本発明の実施の形態における医用診断装置１では、画面左側には例えば、検査予約のための予約ボタン等、医用診断装置１において行う操作を選択するためのボタンが配列されている。また、右側上段には例えば、予定されている検査の一覧や患者の撮影計画等が表示されるリスト部と、下段には撮影された画像を部位ごとに表示する画像表示ウインドウが表示されるようにされている。
【００３５】
図８の画面例に示される検査一覧リストの中の先頭の検査が反転表示されている状態で検査選択ボタンが押されることにより、検査ＩＤが確定し、図９に示される具体的な撮影計画と撮影した画像を表示するための画面が現われる。なお、図９の画面に遷移する操作（検査選択ボタンを押す操作）により、検査ＩＤ（例えば、図８に示す「６６３８」）が確定したことになるので、操作情報リスト（図４参照）には「日時」、「操作項目」の他、「操作内容」として検査ＩＤが「６６３８」である検査が選択されたこと、及びその「検査ＩＤ」が記録される（ＳＴ４）。同時に医用診断装置１の動作も動作情報として動作情報リスト（図３参照）に記録される。
【００３６】
図９の画面では、リスト部に撮影計画のリストが表示され、先頭のリストが反転表示された状態となる。続いて、「検査開始／終了ボタン」が押されることになるが、この操作における検査ＩＤがこれまで記録されている検査ＩＤと一致するか否かを判断し（ＳＴ５）、一致しない場合はここまで行ってきた検査とは異なる検査であると判断できるので、再度ステップ１に戻って操作項目定義ファイルにある動作情報を取り出す。一方、検査ＩＤが一致する場合であって発生時刻も業務開始時刻以降である場合は、操作情報管理手段２ｄから操作情報を取得して、その操作情報の発生時刻にもっとも時間的に近いイベントを動作情報管理手段２ｂから検索して動作情報を抽出する（ＳＴ６）。そして、操作項目、動作情報の組を順序の情報も含めて記憶しておく（ＳＴ７）。
【００３７】
図７に示す状態遷移図における「患者検査中」の状態において、「検査終了ボタン」を押すという操作がされると、まず全ての動作情報についての上述した処理が終了したか否かを判断し（ＳＴ８）、終了したのであれば「待機中」の状態に戻るので、この検査業務が完了したと認識することができる。そこで、検査業務の時刻を業務終了時刻として記録するとともに（ＳＴ９）、操作シーケンス抽出手段２ｅは、それまで記憶していた時刻、検査項目、イベント情報の組みを時間順に並べなおして、１つの操作シーケンスとして関連づけて保存する（ＳＴ１０）。すなわち、例えば、図１０に示すように、操作者による操作の情報（例えば、「検査選択ボタン」）とこの操作に対応する動作情報（例えば、「ＷＭ＿ＬＢＵＴＴＯＮＤＢＣＬＫ（２８１，１６４）」とが関連づけられて一つの操作シーケンスを構成する。操作シーケンス抽出手段２ｅは、操作項目定義ファイルにある操作項目であって、検査の流れの例を示す図４の操作情報リストに挙げられている操作項目と合致する操作ごとに上述したステップを繰り返す。
【００３８】
なお、本発明の実施の形態では、動作情報の選別規則として、検査ＩＤと操作の発生時刻を使用して一連の業務の中の操作群であることを判定しているが、選別規則については、検査ＩＤと発生時刻を利用した場合に限らず、操作情報に記録したその他の情報を使用してもよい。また、すでに確認した操作情報や動作情報を重複して処理することがないように、例えば前回処理した情報の日付を記憶しておき、その日付以降の情報を処理するようにすることもできる。
【００３９】
操作シーケンス比較手段２ｆは、操作シーケンス抽出手段２ｅで取得した操作シーケンス（図１０参照）と、操作シーケンス管理手段２ｇに保存されているこれまで行われた操作シーケンスとを比較する。そして、比較した上で操作シーケンス抽出手段２ｅが抽出した操作シーケンスが操作シーケンス管理手段２ｇに保存されている操作シーケンスからどのくらい新規な操作シーケンスであるかを算出する。すなわち、両者の差異を便宜的に「距離」に置き換えて、その距離があらかじめ定められた値より小さければ類似であると判定し、その値より大きければ新規であると判定する。
【００４０】
具体的には、例えば、「操作シーケンス管理手段の操作シーケンス」と「操作シーケンス抽出手段の操作シーケンス」の操作シーケンス同士を比較して、最初の操作シーケンスと最後の操作シーケンスが異なる場合には、距離が無限大である（比較不能）とし、最初の操作シーケンスと最後の操作シーケンスが同じ場合には、その中間の操作シーケンスの出現順番を比較して、一致しない操作シーケンスの数の総計を操作シーケンス間の距離と定義する。
【００４１】
例えば、図１１を例に取って説明する。図１１には上下２段に分けて（ａ）、（ｂ）としてそれぞれ「操作シーケンス管理手段の操作シーケンス」と「操作シーケンス抽出手段の操作シーケンス」が挙げられている。２つの操作シーケンスが存在したときに、あらかじめ決められた状態遷移に従って操作シーケンスを抽出しているので、操作シーケンスの先頭の「操作項目／イベント」と最後の「操作項目／イベント」が同じでない場合には、比較せず無限大を表すと決めた数字（例えば、９９９９）を返す。次に、操作シーケンスの先頭の「操作項目／イベント」と最後の「操作項目／イベント」を対応させたのち、比較元の「操作シーケンス管理手段の操作シーケンス」に記録されている操作シーケンスの２番目以降の「操作項目／イベント」と比較先の「操作シーケンス抽出手段の操作シーケンス」に記録されている操作シーケンスの２番目以降の「操作項目／イベント」とを順次比較していき、最初に同じになった「操作項目／イベント」と対応付けていく。
【００４２】
図１１（ａ）の「操作シーケンス管理手段の操作シーケンス」には、１ないし８の操作シーケンスが記憶されており、操作情報と動作情報とがそれぞれ対応付けられている。一方「操作シーケンス抽出手段の操作シーケンス」には、「操作シーケンス管理手段の操作シーケンス」と比較して、「操作シーケンス管理手段の操作シーケンス」に記録されている５ないし７の手続が欠けた状態で操作シーケンスが抽出されている。すなわち、「操作シーケンス抽出手段の操作シーケンス」は「操作シーケンス管理手段の操作シーケンス」よりも３つ操作が少ないことになり、この状態を「距離」として「−３」と置く。
【００４３】
また、図１１（ｂ）の「操作シーケンス管理手段の操作シーケンス」には８つの操作シーケンスが記録されているが、「操作シーケンス抽出手段の操作シーケンス」には「操作シーケンス管理手段の操作シーケンス」の７つ目と８つ目の操作の間に新たに３つの操作シーケンスが追加されている。この状態を「距離」として「＋３」と置く。あらかじめ指定された閾値を例えば１とすると、図１１における「操作シーケンス抽出手段の操作シーケンス」の例は、いずれも類似していない新規な操作シーケンスであると判定される。
【００４４】
なお、操作シーケンス間の距離の計算は、操作項目ごとに重みをつけておき、この重みを考慮して計算する方法でもよいし、出現順序に応じて重みを付けて重みを考慮して計算する方法でも構わない。また、距離の計算に先頭から順番に対応付けて行き、異なる数を距離とする計算方法でも構わない。さらに、新規な操作シーケンスであるか否かを判断する閾値は医用診断装置１の操作者によって任意に定めることが可能である。
【００４５】
操作シーケンス登録手段２ｈは、上述した計算方法を用いて操作シーケンス抽出手段２ｅによって新規な操作シーケンスであると判断された場合、操作者に対して新しい操作シーケンスが検出された旨の通知を行い、その操作シーケンスを登録するか否かについて操作者に問い合わせる。図１２（ａ）は新規な操作シーケンスが検出されたことを操作者に通知する画面の一例である。この画面例では、新規な操作シーケンスを操作シーケンス管理手段２ｇに登録するか否かを選択するボタンと図１２（ｂ）に示す新規な操作シーケンスであると判断された操作シーケンスについての詳細を確認することができるボタンが設けられている。この詳細画面では、操作シーケンスを識別するためのＩＤや名前を付けられるようにしても構わないし、操作シーケンスを分類するための分類名を付与して、階層的に検索できるようにしても構わない。操作者が新規な操作シーケンスを登録する場合は、登録ボタン（図１２では「ＹＥＳ」のボタン）を押すことで新規な操作シーケンスが操作シーケンス管理手段２ｇへ登録（記録）される。
【００４６】
なお、図１２では操作者に新規な操作シーケンスが検出されたことを通知した後、登録の有無を操作者に選択させる画面構成となっているが、新規な操作シーケンスが検出されると操作者に通知後、自動的に操作シーケンス登録手段２ｈが登録を行う構成としてもよい。また、操作シーケンス登録手段２ｈは、定期的に操作シーケンス抽出手段２ｅに新しい操作シーケンスの有無を照会しても構わないし、操作シーケンス抽出手段２ｅから新しい操作シーケンスの登録を通知されてから処理を行っても構わない。或いは、医用診断装置１の停止間際など指定されたタイミングで操作シーケンス抽出手段２ｅに照会しても構わない。また、例えば、図８または図９に示した操作画面上に操作シーケンスの登録などのボタンなどを備え、そのボタンを実行するとそれまでの操作履歴を基に抽出以降の作業を実施する方法などでもよい。また、操作者への新規な操作シーケンスが検出されたことの通知は、医用診断装置の状態に応じて通知しても構わないし、任意のタイミングで通知しても構わない。さらに、本発明の実施の形態では、新規性の判定を機械的に行ったが、機械的な判定を行わず、新規の操作シーケンスがないかどうかを確認する手段（確認ボタンなど）を設け、その確認手段が選択されると、例えば、その日に実施した全ての検査について抽出以下の作業を行い、抽出した検査の操作シーケンスの一覧と算出した新規度を一緒に表示して、その内容を確認できるようにし、ユーザがその時点で登録有無を判定することもできる。
【００４７】
操作シーケンス管理手段２ｇは、操作シーケンス抽出手段２ｅにより抽出された操作シーケンスを保存管理するためのものである。操作シーケンス管理手段２ｇには、予め登録されている操作シーケンスと、上述した操作シーケンス登録手段２ｈにより登録される新規な操作シーケンスが保存される。操作シーケンス管理手段２ｇで保存される情報は、識別するＩＤと名称、登録日時などがあり、それぞれの操作シーケンスに対して、操作項目と動作情報の系列が登録されている。
【００４８】
なお、操作項目を一意に識別することができれば、例えば、操作項目を識別するのに数字を識別子として用いたり、名称を付与することとしても良い。また操作シーケンスを格納するために、ディレクトリ構造を持たせて容易に管理できるようにしてもよく、識別ＩＤ、名称、登録日時、操作シーケンス（操作項目とイベントの系列）以外の情報を記録しても構わない。
【００４９】
このような構成を採用し、医用診断装置の操作を行うに際して必要となる情報を操作履歴の情報から抽出して検査業務単位で管理することで、低頻度の機能について使用する利用者や医用診断装置の利用経験の乏しい利用者が医用診断装置の操作を忘れた場合であっても、過去の操作履歴の情報に基づいて操作支援を受けることにより医用診断装置の操作性の向上を図ることのできる操作支援システム及び当該システムを搭載する医用診断装置を提供することができる。
【００５０】
なお、本発明の実施の形態においては医用診断装置１を例に取って説明を加えたが、例えば、医用診断装置１ではないＨＩＳ（Hospital Information System）、ＲＩＳ（Radiological Information System）及びＰＡＣＳ（Picture Archiving Communication System）等において設けられていてもよい。また、医用診断装置１とこれらを２つ以上複合し、インターネットなどの通信接続を行い、ネットワークシステムとして構成してもよい。
【００５１】
また、現在医用診断装置１を操作している操作者を識別するための操作者識別手段を設けても良く、識別する方法は、操作者の指紋等の生体的特徴を利用する方法やＩＣカード等を利用する方法等を採用することができる。
【００５２】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００５３】
第２の実施の形態においては、第１の実施の形態における操作支援手段２に操作シーケンス選択手段２ｉ及び操作シーケンス再生手段２ｊとが付加された構成となっている。
【００５４】
以下、第２の実施の形態における操作支援（ナビゲート）の流れ説明する。
【００５５】
操作シーケンス選択手段２ｉは、操作者が医用診断装置１を操作する際に操作の操作支援をしてもらいたい操作を選択する手段である。図１４は、操作支援を行う操作の一覧を示す画面例である。操作シーケンス選択手段２ｉは、操作シーケンス管理手段２ｇから登録されている操作シーケンスの情報を取得して（図１５のＳＴ２１参照）、操作シーケンスを識別するための名称または識別ＩＤと登録日付を表示する。これによって操作者が参照したい操作シーケンスが選択されたことになる（ＳＴ２２）。操作者によって「詳細ボタン」が押された場合には、その操作シーケンスに登録されている「操作項目」の系列を表示する。例えば、図１４の画面例では、最上段に操作支援が可能な操作として「頭部一般検査」が挙げられ、この検査は「２００５年４月５日」に行われたことが示されている。
【００５６】
操作者によって操作支援してほしい操作シーケンスが選択された場合には（ＳＴ２２）、例えば、選択された操作名が画面上反転するとともに、操作シーケンス再生手段２ｊは、その操作シーケンスを識別する名称または識別ＩＤを操作シーケンス選択手段２ｉから取得する（ＳＴ２３）。また操作シーケンス再生手段２ｊは、操作シーケンス選択手段２ｉからの情報を基にその操作シーケンスの詳細情報を操作シーケンス管理手段２ｇから直接取得するようにしても構わない。
【００５７】
さらに、操作シーケンス再生手段２ｊは、動作情報収集手段２ａが検知した動作情報を取得するとともに、操作情報収集手段２ｃが検知した操作者の操作情報も取得する（ＳＴ２４）。当該操作情報が操作項目定義ファイルに記載されている操作項目に合致する場合には、動作情報及び操作情報と、選択された操作シーケンスの中に登録されている操作項目を比較する（ＳＴ２５）。そして、再度動作情報及び操作情報を取得して現在行われている操作を把握し（ＳＴ２６）、ナビゲートを開始する（ＳＴ２７）。具体的には、その次の操作項目の動作情報を基に、次の操作を促すために例えば、ポインディングデバイスをそのイベント情報に記述された位置情報のところに移動させたり、その動作情報に記述された位置情報のところにチップヘルプを表示したりして、操作者の操作を操作支援する。操作者による操作が終わったか否かを判断して（ＳＴ２８）、操作が継続して行われている場合は、ナビゲートを続ける。一方で、操作が終了した場合は、ナビゲートも終了する（ＳＴ２９）。
【００５８】
図１６は、操作支援の例を示す画面例である。図１６では、次に操作するボタンの近隣にメッセージを表示するようにしたものである。なお、操作支援の方法としては、このほかに、例えば、次に操作するボタンの濃度を変えたり、“次操作を行う”ボタンを設け、そのボタンを選択するだけで行うべき次の操作対象を表示したり、操作を自動実行したりする方法も挙げることができる。また、第２の実施の形態では、操作画面上でのナビゲーションについて説明したが、操作画面に映し出す方法のほか、例えば、音声ガイダンスで操作支援を行うことも可能である。
【００５９】
このようにすることで、医用診断装置の操作を行うに際して必要となる情報を操作履歴の情報から抽出して検査業務単位で管理することによって、低頻度の機能について使用する利用者や医用診断装置の利用経験の乏しい利用者が医用診断装置の操作を忘れた場合であっても、過去の操作履歴の情報に基づいて操作支援を受けることにより医用診断装置の操作性の向上を図ることのできる操作支援システム及び当該システムを搭載する医用診断装置を提供することができる。
【００６０】
（第３の実施の形態）
次に本発明における第３の実施の形態について説明する。なお、第３の実施の形態において、上述の第１または第２の実施の形態において説明した構成要素と同一の構成要素には同一の符号を付し、同一の構成要素の説明は重複するので省略する。
【００６１】
大きな操作支援の流れは上述の実施の形態と同様であるが、第３の実施の形態においては、図１７に示すように、特に操作支援手段２内の操作シーケンス登録手段２ｈに操作者指定手段２ｋを接続することで、医用診断装置１の操作についての操作支援を行うに当たって、登録されている操作シーケンスを操作者ごとに指定することが可能とされている点に特徴がある。
【００６２】
すなわち、ある操作者が医用診断装置１の操作について操作支援を求める場合に、その操作手順を選択するだけではなく、その参照しようとしている操作を行った操作者までも指定することができる。また、このように参照しようとしている操作を行った操作者を指定する前提として、操作者指定手段２ｋが操作シーケンス登録手段２ｈに登録されているその操作者の操作シーケンスをフィルタリングする。
【００６３】
例えば、操作者指定手段２ｋは、操作シーケンス管理手段２ｇに登録されている操作者管理情報を基に、操作者のＩＤ、或いは操作者名をリスト表示し、操作シーケンスを抽出したい操作者をフィルタリングして指定する。操作シーケンス比較手段２ｆは操作シーケンス抽出手段２ｅからの動作情報及び操作情報と、操作シーケンス管理手段２ｇ内に記録されている操作シーケンスのうち、操作者指定手段２ｋから指定された操作者が行った操作シーケンスとを比較する。すなわち、上述の実施の形態においては動作情報及び操作情報と比較される対象が操作シーケンス管理手段２ｇ内に記録されている操作シーケンスであって、この操作シーケンスについては何の指定もされていなかったが、第３の実施の形態においては比較される操作シーケンスが、操作者が指定したある特定の操作者が行った操作の操作シーケンスとなる。
【００６４】
さらに、操作者指定手段２ｋは、医用診断装置１の操作者が複数に渡る場合に、特定の操作者の操作シーケンスを抽出してその操作者の操作シーケンスとして操作シーケンス登録手段２ｈに登録する。
【００６５】
このようにすることで、医用診断装置の操作を行うに際して必要となる情報を操作履歴の情報から抽出して検査業務単位で管理することで、低頻度の機能について使用する利用者や医用診断装置の利用経験の乏しい利用者が医用診断装置の操作を忘れた場合であっても、過去の操作履歴の情報、特にある特定の操作者が行った操作履歴情報に基づいて操作支援を受けることにより、これまで以上に医用診断装置の操作性の向上を図ることのできる操作支援システム及び当該システムを搭載する医用診断装置を提供することができる。
【００６６】
（第４の実施の形態）
次に本発明における第４の実施の形態について説明する。なお、第４の実施の形態において、上述の第１ないし第３の実施の形態において説明した構成要素と同一の構成要素には同一の符号を付し、同一の構成要素の説明は重複するので省略する。
【００６７】
第４の実施の形態においては、図１８に示すように、ネットワーク３０を介して医用診断装置１０ａないし１０ｃ及び管理サーバ２０が接続されている。第４の実施の形態においては、上述した各実施の形態において医用診断装置１が持っていた動作情報及び操作情報の収集、操作シーケンスの抽出、比較、管理、登録といった各機能のうち、操作シーケンスの比較、管理、登録の各機能を管理サーバに移し、医用診断装置には各情報の収集と管理サーバとの間での情報の送受信及びナビゲート機能のみを有する構成とした点に特徴がある。なお、図１８では医用診断装置１０が複数台ネットワーク３０に接続されているが、医用診断装置１０は単数でも複数でも良い。
【００６８】
図１９は、説明の便宜ために医用診断装置１０内に設けられる第１の操作支援手段２ｘと管理サーバ内に設けられる第２の操作支援手段２ｙとがネットワーク３０を介して接続されていることを示す説明図である。
【００６９】
第１の操作支援手段２ｘ内には、動作情報収集手段２ａと、動作情報管理手段２ｂと、操作情報収集手段２ｃと、操作情報管理手段２ｄと、操作シーケンス抽出手段２ｅと、操作シーケンス選択手段２ｉと、操作シーケンス再生手段２ｊと、操作シーケンス情報要求手段２ｍとから構成される。
【００７０】
第１の操作支援手段２ｘにおける動作情報収集手段２ａ、動作情報管理手段２ｂ、操作情報収集手段２ｃ、操作情報管理手段２ｄ、操作シーケンス抽出手段２ｅ、操作シーケンス選択手段２ｉ及び操作シーケンス再生手段２ｊの各機能は上述した通りである。すなわち、操作シーケンス抽出手段２ｅによって、収集された動作情報及び操作情報を基に操作シーケンスが抽出される。第４の実施の形態では、この抽出された操作シーケンスが、通信制御手段１ｈからネットワーク３０を介して管理サーバ２０内の第２の操作支援手段２ｙへ送信される。
【００７１】
第２の操作支援手段２ｙは、操作シーケンス比較手段２ｆと、操作シーケンス管理手段２ｇと、操作シーケンス登録手段２ｈと、操作シーケンス受信手段２ｎと、操作シーケンス情報応答手段２ｏとから構成される。
【００７２】
第２の操作支援手段２ｙにおいては、医用診断装置１０側から送信されてきた操作シーケンスを操作シーケンス受信手段２ｎで受信し、この操作シーケンスと操作シーケンス管理手段２ｇ内に記録されている操作シーケンスとを操作シーケンス比較手段２ｆにおいて比較する。新規な操作シーケンスであることが判明した場合には、操作シーケンス登録手段２ｈによって操作シーケンス管理手段２ｇへ登録される。
【００７３】
一方、具体的な操作の操作支援が行われる場合の流れは、基本的には上述の実施の形態において説明したものと同様である。すなわち、操作シーケンス管理手段２ｇに記録されている操作シーケンスの中から操作のナビゲートが要求されている操作シーケンスが操作シーケンス選択手段２ｉによって選択され、操作シーケンス再生手段２ｊにおいて動作情報収集手段２ａ及び操作情報収集手段２ｃからの動作情報及び操作情報に同期して操作のナビゲートが行われる。
【００７４】
第４の実施の形態においては、操作シーケンスの比較、管理、登録の各機能は管理サーバ２０に移され、医用診断装置１０には動作情報及び操作情報の収集と管理サーバ２０との間でのこれらの情報の送受信及び操作支援機能のみを有する構成としていることから、操作シーケンスを再生するに当たっても、医用診断装置１０と管理サーバ２０との間で操作シーケンスのやり取りが行われる。
【００７５】
まず、操作シーケンス選択手段２ｉは、操作シーケンス管理手段２ｇに記録されている操作シーケンスの中から操作の操作支援が要求されている操作シーケンスを選択するために、操作シーケンス情報要求手段２ｍから通信制御手段１ｈ及びネットワーク３０を介して管理サーバ２０内にある操作シーケンス管理手段２ｇに選択された操作シーケンスに関する情報の要求を行う。
【００７６】
次に、管理サーバ２０側では、操作シーケンス情報応答手段２ｏが医用診断装置１０からの情報要求を受信し、操作シーケンス管理手段２ｇに要求された操作シーケンスを問い合わせる。そして操作シーケンス情報応答手段２ｏは、操作シーケンス管理手段２ｇから該当する操作シーケンスを受け取り、操作シーケンス情報要求手段２ｍへ送信する。操作シーケンス選択手段２ｉは操作シーケンス情報要求手段２ｍから該当する操作シーケンスを受信し、操作シーケンス再生手段２ｊにおいて操作支援を開始する。
【００７７】
このようにすることで、医用診断装置の操作を行うに際して必要となる情報を操作履歴の情報から抽出して検査業務単位で管理することによって、低頻度の機能について使用する利用者や医用診断装置の利用経験の乏しい利用者が医用診断装置の操作を忘れた場合であっても、過去の操作履歴の情報に基づいて操作支援を受けることにより医用診断装置の操作性の向上を図ることのできる操作支援システム及び当該システムを搭載する医用診断装置を提供することができる。
【００７８】
特に、上述したように、管理サーバ２０がネットワーク３０を介して複数の医用診断装置１０と接続された場合、例えばＨＩＳに操作手順マスタ記憶手段が存在し、ＨＩＳ上において操作手順マスタの管理と操作手順の指示を行うことが可能となる。すなわち、１台の管理サーバからネットワーク３０に接続される全ての医用診断装置１０の操作手順を管理できるようになり、複数台の医用診断装置１０に対する操作シーケンス連携も可能となる。
【００７９】
また、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００８０】
【図１】医用診断装置の内部構成を示すブロック図である。
【図２】第１の実施の形態における操作支援手段の内部構成を示すブロック図である。
【図３】動作情報リストの記録例を示す説明図である。
【図４】操作情報リストの記録例を示す説明図である。
【図５】本発明の第１の実施の形態における操作シーケンス抽出手段による操作シーケンスの抽出の流れを示すフローチャートである。
【図６】操作項目定義ファイルの例を示す説明図である。
【図７】医用診断装置の状態遷移を示す図である。
【図８】医用診断装置の表示手段に表示される基本的な画面例を示す模式図である。
【図９】医用診断装置の表示手段に表示される基本的な画面例を示す模式図である。
【図１０】抽出された操作シーケンスを表わす模式図である。
【図１１】抽出された操作シーケンスの新規度の計算について説明する説明図である。
【図１２】新規な操作シーケンスの登録時に表示される画面例を示す模式図である。
【図１３】第２の実施の形態における操作支援手段の内部構成を示すブロック図である。
【図１４】ナビゲートする操作の一覧を示す画面例の模式図である。
【図１５】本発明の第２の実施の形態における操作シーケンス抽出手段による操作シーケンスの抽出の流れを示すフローチャートである。
【図１６】ナビゲートする操作の一覧を示す画面例の模式図である。
【図１７】第３の実施の形態における操作支援手段の内部構成を示すブロック図である。
【図１８】第４の実施の形態におけるネットワーク構成を表わす模式図である。
【図１９】第４の実施の形態における操作支援手段の内部構成を示すブロック図である。
【符号の説明】
【００８１】
１    医用診断装置
２    操作支援手段
２ａ  動作情報収集手段
２ｂ  動作情報管理手段
２ｃ  操作情報収集手段
２ｄ  操作情報管理手段
２ｅ  操作シーケンス抽出手段
２ｆ  操作シーケンス比較手段
２ｇ  操作シーケンス管理手段
２ｈ  操作シーケンス登録手段
【図１】
2008026939.tif 000003
【図２】
2008026939.tif 000004
【図３】
2008026939.tif 000005
【図４】
2008026939.tif 000006
【図５】
2008026939.tif 000007
【図６】
2008026939.tif 000008
【図７】
2008026939.tif 000009
【図８】
2008026939.tif 000010
【図９】
2008026939.tif 000011
【図１０】
2008026939.tif 000012
【図１１】
2008026939.tif 000013
【図１２】
2008026939.tif 000014
【図１３】
2008026939.tif 000015
【図１４】
2008026939.tif 000016
【図１５】
2008026939.tif 000017
【図１６】
2008026939.tif 000018
【図１７】
2008026939.tif 000019
【図１８】
2008026939.tif 000020
【図１９】
2008026939.tif 000021